(57)【要約】【課題】消去または更新する情報と消去または更新してはいけない情報とを峻別することができ、操作者の操作ミスの軽減を図ることができる通信装置およびハンズフリー装置を提供する。【解決手段】操作部１３およびディスプレイ１２のタッチパネルによって履歴情報４を選択し、ディスプレイ１２に表示された履歴情報４の消去操作がされたとき、ＣＰＵ１１は、前記選択された履歴情報４を消去するか否かを確認する確認画面２２をディスプレイ１２に表示するように制御する。これによって、操作者の操作ミスの軽減を図る。【選択図】      図１
2004266644.tif 000002
【特許請求の範囲】
【請求項１】
回線網を介して受信および送信可能な通信手段と、
前記通信手段を介して受信および送信した相手の識別情報を含む履歴情報を記憶する第１の記憶手段と、
前記履歴情報を選択する操作手段と、
前記操作手段により選択された履歴情報を表示する表示手段と、
前記表示手段に表示された履歴情報の消去操作がされたとき、前記選択された履歴情報を消去するか否かを確認する確認画面を前記表示手段に表示するように制御する制御部とを備えたことを特徴とする通信装置。
【請求項２】
前記制御部は前記確認画面において、前記識別情報を表示させることを特徴とする請求項１記載の通信装置。
【請求項３】
識別情報と、前記識別情報に対応する補助識別情報とを記憶する第２の記憶手段と、
前記消去する履歴情報に含まれた識別情報を前記第２の記憶手段から検索する検索手段とを備え、
前記制御部は前記検索手段により第２の記憶手段に一致する識別情報があれば、前記一致する識別情報に対応する補助識別情報を読み出し、前記確認画面に表示させることを特徴とする請求項１または２記載の通信装置。
【請求項４】
前記制御部は前記識別情報に対応する補助識別情報を、前記通信手段を介して外部から取得させることを特徴とする請求項１〜３のいずれかに記載の通信装置。
【請求項５】
接続された電話機に記憶された記憶情報を表示する表示手段と、
前記記憶情報を選択する操作手段と、
前記表示手段に表示された記憶情報の消去または更新操作がされたとき、前記選択された記憶情報を消去または更新するか否かを確認する確認画面を前記表示手段に表示するとともに、消去または更新の確認があった場合に、前記電話機の記憶手段から前記選択した記憶情報を消去または更新する制御手段とを備えたことを特徴とするハンズフリー装置。
【請求項６】
前記確認画面に、前記接続された電話機の識別情報を表示することを特徴とする請求項５記載のハンズフリー装置。
【請求項７】
接続された電話機の外部に設けられた電話機に対応する記憶情報を表示する表示手段と、
前記記憶情報を選択する選択手段と、
前記表示手段に表示された記憶情報の消去または更新操作がされたとき、前記選択された記憶情報を消去または更新するか否かを確認する確認画面を前記表示手段に表示するとともに、消去または更新の確認があった場合に、前記記憶手段から消去または更新する制御手段とを備えたことを特徴とするハンズフリー装置。
【発明の詳細な説明】
【０００１】
【発明の属する技術分野】
本発明は、通信装置に関し、たとえば固定電話機、携帯電話機、ファクシミリ装置、およびハンズフリー装置などに好適に用いられる通信装置およびハンズフリー装置に関する。
【０００２】
【従来の技術】
通信装置のうち、たとえば操作性の高い電話機が種々実用に供されている。具体的には、電話回線または通信回線を介して受信した相手先の電話番号などの識別情報を、着信履歴として前記電話機の記憶装置に記憶するとともに、記憶された識別情報を表示装置に個別に表示するものがある。また相手方の電話機に発信する際に入力される前記相手方の電話機の識別情報を、発信履歴として電話機の記憶装置に記憶するとともに、記憶された識別情報を表示装置に個別に表示するものがある。
【０００３】
前記識別情報を表示装置に個別に表示した状態で、所定の操作を行うことでその識別情報の電話番号へ電話をかけることができる。識別情報のうちたとえば間違い電話の情報、他人に見られたくない情報を消去するため、所望の履歴情報を消去できるものがある（特許文献１および２）。
【０００４】
従来、携帯電話機をコネクタでインストルメントパネルに配設されたハンズフリー装置に接続して、スピーカとマイクロフォンにより、車両を運転していても通話を可能にしたハンズフリーシステムがある。このようなハンズフリーシステムでは、携帯電話のメモリに記憶された情報をハンズフリー装置のディスプレイに表示している。携帯電話の情報を表示するにはハンズフリー装置に設けられた専用の操作スイッチを操作することで表示が行われる。このように、ハンズフリー装置に設けられた専用の操作スイッチを操作して携帯電話の機能を作動させている。
【０００５】
【特許文献１】
特開２０００−１６５５０６号公報
【特許文献２】
特開２００２−８４３５９号公報
【０００６】
【発明が解決しようとする課題】
このような従来技術では、識別情報を表示装置に表示した状態で、操作者が消去キーなどを誤って押してしまい、消去したくない識別情報を不所望に消去するおそれがある。また携帯電話等においては、機能メニュー等は表示画面に表示されるが、表示画面が小さいので、表示できる情報が少ない。そのため、識別情報の表示中に所定のキーを操作して表示画面にメニューを表示し、消去機能を選択することで識別情報の消去がされる。しかし、このような手順で消去する場合、画面の移行が多く、表示されていた識別情報を忘れることも考えられる。このような場合、識別情報の表示画面まで戻し、識別情報を見てから消去画面に移行させる必要があり、操作が繁雑となる。
【０００７】
また、ハンズフリー装置を接続された携帯電話の所有者以外の乗員が操作する可能性もあり、所有者以外の乗員によって所有者の意図しない消去や更新の操作がされるおそれがある。また運転手は運転中に脇見でハンズフリー装置を操作し、誤った操作を行うおそれがある。
【０００８】
したがって本発明の目的は、消去または更新する情報と消去または更新してはいけない情報とを峻別することができ、操作者の操作ミスの軽減を図ることができる通信装置を提供することである。また、携帯電話の所有者以外の者による意図しない操作を回避することを目的とする。
【０００９】
【課題を解決するための手段】
請求項１記載の本発明は、回線網を介して受信および送信可能な通信手段と、前記通信手段を介して受信および送信した相手の識別情報を含む履歴情報を記憶する第１の記憶手段と、
前記履歴情報を選択する操作手段と、
前記操作手段により選択された履歴情報を表示する表示手段と、
前記表示手段に表示された履歴情報の消去操作がされたとき、前記選択された履歴情報を消去するか否かを確認する確認画面を前記表示手段に表示するように制御する制御部とを備えたことを特徴とする通信装置である。
【００１０】
本発明に従えば、第１の記憶手段には、通信手段を介して受信および送信した相手の識別情報を含む履歴情報が記憶される。操作手段によって履歴情報を選択し、表示手段に表示された履歴情報の消去操作がされたとき、制御部は、前記選択された履歴情報を消去するか否かを確認する確認画面を表示手段に表示するように制御する。
【００１１】
このように前記選択された履歴情報を消去するか否かを確認する確認画面を表示手段に表示するので、操作者は表示された確認画面を確認した後、消去したい履歴情報だけを確実に消去することができる。仮に消去したくない履歴情報の消去操作がされたとしても、操作者は、前記履歴情報を消去するか否かを確認する前記確認画面を確認するので、前記履歴情報の消去をキャンセルすることが可能となる。したがって消去する履歴情報と消去してはいけない履歴情報とを峻別することができ、操作者の操作ミスの軽減を図ることができる。
【００１２】
請求項２記載の本発明は、前記制御部は前記確認画面において、前記識別情報を表示させることを特徴とする。
【００１３】
本発明に従えば、前記確認画面に識別情報を表示するので、履歴情報の相手を特定し易くなる。したがって消去する履歴情報と消去してはいけない履歴情報とを一層峻別することが可能となる。
【００１４】
請求項３記載の本発明は、識別情報と、前記識別情報に対応する補助識別情報とを記憶する第２の記憶手段と、
前記消去する履歴情報に含まれた識別情報を前記第２の記憶手段から検索する検索手段とを備え、
前記制御部は前記検索手段により第２の記憶手段に一致する識別情報があれば、前記一致する識別情報に対応する補助識別情報を読み出し、前記確認画面に表示させることを特徴とする。
【００１５】
本発明に従えば、第２の記憶手段には、識別情報と、前記識別情報に対応する補助識別情報とが記憶される。制御部は、検索手段によって第２の記憶手段に一致する識別情報があるか否かを判定する。前記一致する識別情報があれば、制御部は、前記一致する識別情報に対応する補助識別情報を読み出し前記確認画面に表示させる。このように確認画面に補助識別情報を表示する場合には、確認画面に識別情報を表示する場合と比べて、履歴情報の相手を瞬時に特定することができる。操作者は、補助識別情報を確認することで、操作ミスの軽減を一層図ることが可能となる。
【００１６】
請求項４記載の本発明は、前記制御部は前記識別情報に対応する補助識別情報を、前記通信手段を介して外部から取得させることを特徴とする。
【００１７】
本発明に従えば、識別情報に対応する補助識別情報を、通信手段を介して外部から取得することによって、補助識別情報の確認画面への表示を実現することができる。
【００１８】
請求項５記載の本発明は、接続された電話機に記憶された記憶情報を表示する表示手段と、
前記記憶情報を選択する操作手段と、
前記表示手段に表示された記憶情報の消去または更新操作がされたとき、前記選択された記憶情報を消去または更新するか否かを確認する確認画面を前記表示手段に表示するとともに、消去または更新の確認があった場合に、前記電話機の記憶手段から前記選択した記憶情報を消去または更新する制御手段とを備えたことを特徴とするハンズフリー装置である。
【００１９】
本発明に従えば、操作手段によって履歴や電話帳等の記憶情報を選択し、表示手段に表示された記憶情報の消去または更新操作がされたとき、制御部は、前記選択された記憶情報を消去または更新するか否かを確認する確認画面を表示手段に表示するとともに、消去または更新の確認があった場合に、前記電話機に記憶された記憶情報を消去または更新する。
【００２０】
このように記憶情報を操作するに先立って、選択された記憶情報を消去または更新するか否かを確認する確認画面を表示手段に表示するとともに、消去または更新の確認があった場合に、消去または更新したい記憶情報だけを確実に消去更新することができる。したがって消去や更新する記憶情報と消去や更新をしてはいけない記憶情報とを峻別することができ、また、運転中により誤った操作キーを押しても確認画面が表示されるので、操作者の意図しない消去や更新を行われないので操作ミスの軽減を図ることができる。
【００２１】
請求項６記載の本発明は、前記確認画面に、前記接続された電話機の識別情報を表示することを特徴とする。
【００２２】
本発明に従えば、接続された携帯電話の電話番号や所有者名また機種名等の携帯電話を特定する情報が確認画面に表示されるので、誰の携帯電話を操作しているかを把握することができる。したがって、所有者以外の者による意図しない操作が行われることを防ぐことができる。
【００２３】
【発明の実施の形態】
図１（ａ）は、本発明の第１の実施の形態に係るハンズフリーシステム１の構成を示す図である。図１（ｂ）は携帯電話機２のメモリ３に記憶された履歴情報４を示す図である。通信装置であるハンズフリーシステム１は、電子機器５と、電子機器５とコネクタ６を介して接続される携帯電話機２と、図示外の車両に設置されたスピーカ７とから構成される。
【００２４】
電子機器５は、マイクロフォン８と、音声処理部９と、メモリ１０と、中央演算処理装置１１（以降ＣＰＵ１１と称す）と、ディスプレイ１２と、操作部１３とから構成される。マイクロフォン８は、話者の発生音声を取得するものであり、音声処理部９は、携帯電話機２からの音声信号を処理してスピーカ７へ再生する音声信号を出力し、またマイクロフォン８からの音声信号を処理して携帯電話機２に出力するものである。これに限らずマイクロフォン８は電子機器５の外部に設ける構成であってもよい。メモリ１０は、プログラムや音声処理部９の動作制御のためのデータが記憶されたＲＯＭ（ＲＯＭ：Ｒｅａｄ  Ｏｎｌｙ  Ｍｅｍｏｒｙ）や、また演算処理途中のデータを一時的に記憶するためのＲＡＭ（ＲＡＭ：Ｒａｎｄｏｍ
Ａｃｃｅｓｓ  Ｍｅｍｏｒｙ  ）から構成されたものである。ＣＰＵ１１は、音声処理部９の動作制御、携帯電話機２による音声信号以外のデータ信号の通信などを行うもので、メモリ１０と電気的に接続され、またディスプレイ１２と操作部１３とにそれぞれ電気的に接続されている。ディスプレイ１２には、たとえば感圧式のタッチパネルが採用されている。
【００２５】
携帯電話機２には、メモリ３が設けられており、携帯電話機２はコネクタ６を介して電子機器５に接続されている。メモリ３には、少なくとも電話番号１４を備える履歴情報４が記憶されている。携帯電話機２が、回線網を介して受信および送信可能な通信手段に相当する。メモリ３が第１および第２の記憶手段に相当する。操作部１３およびディスプレイ１２が、履歴情報４を選択する操作手段に相当する。ディスプレイ１２が表示手段に相当する。ＣＰＵ１１が制御部および検索手段に相当する。
【００２６】
ＣＰＵ１１は、ディスプレイ１２に表示された履歴情報４の消去操作がされたとき、選択された履歴情報４を消去するか否かを確認する確認画面２２をディスプレイ１２に表示するように制御する。またＣＰＵ１１は、消去する履歴情報４に含まれた電話番号１４をメモリ３に記憶された電話帳から検索する。
【００２７】
履歴情報４は、識別情報である電話番号１４と、その電話番号１４に対応する補助識別情報１５と、電話番号１４および補助識別情報１５を受信または発信した日付１６および時間１７と、これら電話番号１４および補助識別情報１５が受信されたものか発信されたものかを判別可能な情報１８とを備えている。補助識別情報１５は、具体的には、電話番号１４に対応するたとえば名称、店名、記号、暗号、キャラクター、および顔写真などのうちの少なくともいずれか１つを有する。ただし記号、暗号、およびキャラクターなどは、電話番号１４の相手を操作者が特定することができるものが前提である。
【００２８】
このような電話番号１４およびその電話番号１４に対応する補助識別情報１５は、たとえば電話回線などの回線網を介して携帯電話機２のメモリ３に記憶され、これら電話番号１４および補助識別情報１５に対し、受信または発信した日付１６および時間１７と、判別可能な情報１８とが割り付けられる。電話番号１４およびその電話番号１４に対応する補助識別情報１５は、操作者が操作部１３または携帯電話機２の図示外のキー操作部を操作することで、メモリ３に記憶される。操作者の操作によって、電話番号１４だけがメモリ３に記憶される場合もある。
【００２９】
ユーザは、電子機器５の操作部１３のうちメニューキー１３ａを操作し、前記ディスプレイ１２にメインメニュー１９（図４（１）参照）を表示させる。ディスプレイ１２のメインメニュー１９のうち履歴ボタン２０をたとえば手指で押圧することによって、ディスプレイ１２に履歴情報４が表示される。履歴情報４がメモリ３に記憶されていなければ、押圧操作を無効にする。また無効であることをユーザに把握させるため、トーンダウンして表示させてもよい。他のユニューボタンにおいても使用する必要がなければ、無効にし、トーンダウンして表示される。ディスプレイ１２にこれら発信または受信した電話番号１４を表示させた状態で、消去しようとする電話番号１４の列に対応する削除ボタン２１が押圧されることで、ＣＰＵ１１は選択された電話番号１４の消去操作がされたと判定する。
【００３０】
削除ボタン２１を押圧することで履歴情報４の消去操作がされたとき、選択された履歴情報４を消去するか否かを決定する確認画面２２をディスプレイ１２に表示するとともに、消去の確認があった場合に、メモリ３から選択された前記履歴情報４を消去する。確認画面２２は、履歴情報４の消去操作がされたときにディスプレイ１２に表示される。
【００３１】
図２は、履歴情報４をメモリ３から消去するまでのＣＰＵ１１の動作を示すフローチャートである。図３は、履歴情報４をメモリ３から消去するときの確認画面２２を段階的に表す図である。図１も参照しつつ説明する。本フローはメモリ１０に予め格納されるプログラムに基づいて実行される。ステップａ１において履歴ボタン２０が押されたか否かが判定する。
【００３２】
具体的には、操作者が操作部１３のメニューキー１３ａを操作すると、ディスプレイ１２に図３（１）に示すようなメインメニュー１９の画面を表示する。次にメインメニュー１９の画面のなかの履歴ボタン２０が押圧されたか否かを判定する。操作者が履歴ボタン２０を押したと判定すると、ステップａ２に移行して、メモリ３に履歴情報４が記憶されているか否かを判定し、記憶していればステップａ３へ移行して、図３（２）に示すように履歴情報４を表示する。また、ステップａ２において記憶していなければステップａ１０で、履歴ボタン２０の操作を無効にして本フローを終了する。
【００３３】
次にステップａ４に移行して履歴情報４の消去操作がされたか否かを判定する。具体的には、どの電話番号１４の列に対応する削除ボタン２１を押したか否かを判定する。このステップａ４において、削除ボタン２１が押されたと判定すると、ステップａ５に移行する。ステップａ５において選択された電話番号１４に対応する補助識別情報１５がメモリ３に記憶しているか否かを判定し、記憶していればステップａ６に移行して、補助識別情報１５を含む確認画面を表示する。具体的には図３（３）に示すように、メモリ３から選択された電話番号に対応する補助識別情報１５たとえば「秋山太郎」をディスプレイ１２のなかの所定の表示エリア２３に表示する。これとともに選択した履歴情報４を消去するか否かを確認する確認画面２２「〜の履歴を削除しますか？」をディスプレイ１２に表示する。ステップａ５においてメモリ３に補助識別情報１５を記憶していなければ、ステップａ７に移行して、消去の選択をした電話番号１４を含む確認画面を表示する。
【００３４】
次にステップａ８に移行して、消去の確認があったか否かを判定する。すなわち図３（３）の「はい」２４を操作者が押圧したかを判定し、押圧されたなら、ステップａ９に移行する。このステップａ９において、携帯電話機２のメモリ３から選択した履歴情報４を消去する。本フローを終了する。ステップａ８において、消去操作の取り消しがあれば、つまり図３（３）、の「いいえ」２５が押圧されたならステップａ３に戻り履歴の一覧を表示する。
【００３５】
ステップａ１において履歴ボタン２０を押していないと判定すると、ステップａ１に戻る。ステップａ４において削除ボタン２１を押していないと判定されると、ステップａ３に戻る。
【００３６】
このように消去しようとする電話番号１４に対応する補助識別情報１５が仮にない場合であっても、電話番号１４たとえば「０９０−５６７８−・・」をディスプレイ１２の表示エリア２３に表示するとともに、この履歴情報４を消去するか否かを確認する確認画面２２たとえば「〜の履歴情報を削除しますか？」をディスプレイ１２に表示している。このような確認画面２２を段階的に表示するので、従来技術のように消去してはいけない履歴情報４を不所望に消去するおそれが格段に少なくなる。また、ハンズフリー装置に接続された携帯電話２の電話番号を確認画面内に表示させるような構成にすれば、操作の確認とともに誰の携帯電話２を操作しているか把握することができ、所有者以外の者により、意図しないデータの消去を防ぐことができる。なお、本実施形態では履歴の消去において説明したがこれに限らず情報の消去や更新をする際にこのような確認画面を表示させる構成にすることも可能である。
【００３７】
第２の実施形態として通信サーバに電話番号と補助識別情報を記憶したデータベースを設ける構成とする。発信者と、通信サーバを管理するサーバ管理者との契約に基づいて、発信者の希望する補助識別情報１５を通信サーバのデータベースに自己の電話番号とともに登録すると、通信サーバによって発信者の電話番号１４と前記補助識別情報１５とが発信される。すなわち各電話番号１４を有する発信者が、たとえば所望の相手先の携帯電話機に電話をかけたとき、発信者の電話番号１４とその電話番号１４に対応する補助識別情報１５が相手先の携帯電話機のメモリに記憶される。
【００３８】
図４は、本発明の第２の実施形態に係り、履歴消去するまでのＣＰＵの一連の動作を示すフローチャートである。図２のステップａ４まで同じ処理を行っているので同符号で図示し、その説明は省略する。本フローにおいてもメモリ１０に記憶されたプログラムにより実行される。図５は、通信サーバに格納された電話番号１４および補助識別情報１５を示す図である。図６は、履歴情報４をメモリ３から消去するとき、通信サーバに接続して電話番号１４に対応する補助識別情報１５を表示させるときの確認画面２２を表す図である。ただし第１の実施の形態と同一の構成には同一の符号を付し、その詳細な説明は省略する。
【００３９】
ステップａ４で削除ボタン２１が押されたと判断すれば、ステップｂ１に移行して、メモリ３に、消去しようとする電話番号１４たとえば「０６−８８１２−・・」に対応する補助識別情報１５が記憶されているか否かを判定する。このステップｂ１において補助識別情報１５を記憶していると判定すると、ステップｂ７に移行して図６（４）に示すように、補助識別情報１５たとえば「ＡＢＣ店」をディスプレイ１２の表示エリア２３に表示する。その後ステップｂ８に移行してステップａ８以降と同様の処理を行う。
【００４０】
ステップｂ１において、メモリ３に、消去しようとする電話番号１４に対応する補助識別情報１５を記憶していないと判定するとステップｂ２に移行する。ステップｂ２では携帯電話機２を前述の通信サーバに接続する。このときディスプレイ１２には、図６（３）に示すように、メモリに「０６−８８１２−・・」の補助識別情報なし。サーバに接続中・・のメッセージ２６を表示する。次にステップｂ３に移行して、携帯電話機２と通信サーバとの接続が確立したか否かを判定する。
【００４１】
通信サーバとの接続が確立したと判定すると、ステップｂ４に移行して消去しようとする電話番号１４に対応する補助識別情報１５を通信サーバに要求し、通信サーバから電話番号１４と対応している補助識別情報１５をダウンロードできたか否かを判定し、ステップｂ５に移行する。このステップｂ５において、メモリ３に、電話番号１４たとえば「０６−８８１２−・・」に対応する補助識別情報１５たとえば「ＡＢＣ店」を記憶する。その後ステップｂ１に戻る。
【００４２】
ステップｂ３において通信サーバとの接続が確立しないと判定すると、ステップｂ２に戻る。ステップｂ４において、通信サーバから消去しようとする電話番号１４に対応する補助識別情報１５が取得できないとき、たとえば、通信サーバに対応する補助識別情報１５がなければステップｂ６に移行し、このステップｂ６において電話番号１４を表示エリア２３に表示する。
【００４３】
このようにＣＰＵ１１は、消去しようとする電話番号１４に対応する補助識別情報１５をメモリ３に記憶していないと判定したとき、携帯電話機２を通信サーバに接続する。ここで消去しようとする電話番号１４に対応する補助識別情報１５が通信サーバから取得できたか否かを判定し、補助識別情報１５が取得できたと判定したとき電話番号１４とその電話番号１４に対応する補助識別情報１５とをメモリ３に記憶する。その後ＣＰＵ１１は、補助識別情報１５をディスプレイ１２の表示エリア２３に表示する。
【００４４】
したがって消去しようとする電話番号１４に対応する補助識別情報１５が仮にメモリ３に記憶されていない状態であっても、携帯電話機２を通信サーバに接続することによって、電話番号１４に対応する補助識別情報１５をメモリ３に記憶し、その補助識別情報１５をディスプレイ１２の一部に表示することができるので、操作者は補助識別情報１５を確認した後、消去しようとする履歴情報４をメモリ３から確実に消去することができる。
【００４５】
しかも選択された履歴情報４を消去するか否かを確認する確認画面２２「〜の履歴情報を削除しますか？」をディスプレイ１２に表示している。このような確認画面２２を段階的に表示するので、従来技術のように消去してはいけない履歴情報４を不所望に消去するおそれが格段に少なくなる。
【００４６】
図７は、本発明の第３の実施形態に係り、履歴情報４をメモリ３から消去する別のフローを表すフローチャートである。ステップｄ０でたとえば操作部１３のメニューキー１３ａを操作すると本フローがスタートする。次にステップｄ１において履歴情報４があるか否かが判定される。履歴情報４があると判定されるとステップｄ２に移行し、このステップｄ２において履歴ボタン２０を押したか否かが判定される。ステップｄ１で履歴情報４がないと判定されると、ステップｄ１に戻る。
【００４７】
履歴情報４がメモリ３に記憶されていない場合には、たとえばメインメニュー１９の画面の履歴ボタン２０の表示が非表示状態に切り替えられ、履歴ボタン２０の機能が無効化される。ステップｄ２で履歴ボタン２０を押したと判定されると、ステップｄ３に移行して履歴情報４が表示される。次にステップｄ４に移行して、履歴情報４の列の削除ボタン２１が短押しされたか否かが判定される。すなわちＣＰＵ１１は、図示外のリアルタイムクロックの機能を用いて削除ボタン２１が短押しされたか否かを判定する。削除ボタン２１の押し時間がたとえば約５秒未満であれば、削除ボタン２１が短押しされたと判定され、ステップｄ５に移行する。ただし押し時間は、必ずしも約５秒に限定されるものではない。
【００４８】
ステップｄ５において、選択された１件の履歴情報４の補助識別情報１５がディスプレイ１２の表示エリア２３に表示される。これとともに履歴情報４を消去するか否かを確認する確認画面２２たとえば「〜の履歴情報を削除しますか？」がディスプレイ１２に表示される。さらにステップｄ８において、消去の確認があったか否かが判定される。すなわちディスプレイ１２のなかの「はい２４」を操作者が押圧すると、ステップｄ９に移行する。このステップｄ９において、携帯電話機２のメモリ３から選択された履歴情報４が消去される。その後ステップｄ１０に移行して本フローを終了する。
【００４９】
ステップｄ８においてディスプレイ１２のなかの「いいえ２５」を操作者が押圧すると、前記履歴情報４を消去することがキャンセルされ、ステップｄ１０に移行して本フローを終了する。
【００５０】
ステップｄ４において削除ボタン２１が短押でないと判定されると、ステップｄ６に移行する。このステップｄ６において削除ボタン２１が長押しされたか否かが判定される。削除ボタン２１の押し時間がたとえば約５秒以上であれば、削除ボタン２１を長押しされたと判定され、ステップｄ７に移行する。削除ボタン２１を長押しでないと判定されるとステップｄ３に戻る。ステップｄ７において、全ての履歴情報４を消去するか否かを確認する確認画面たとえば「全ての履歴情報を削除しますか？」がディスプレイ１２に表示される。その後ステップｄ８に移行する。
【００５１】
本発明の第３の実施形態によれば、削除ボタン２１の押し時間を操作者が調整することで、全ての履歴情報４を簡単にかつ迅速に消去することが可能となる。その他第１および第２の実施形態と同様の効果を奏する。
【００５２】
以上説明したハンズフリーシステム１によれば、メモリ３には、受信および送信した相手の識別情報を含む履歴情報４が記憶される。操作部１３およびディスプレイ１２のタッチパネルによって履歴情報４を選択し、ディスプレイ１２に表示された履歴情報４の消去操作がされたとき、ＣＰＵ１１は、選択された履歴情報４を消去するか否かを確認する確認画面２２をディスプレイ１２に表示するように制御する。
【００５３】
このように選択された履歴情報４を消去するか否かを確認する確認画面２２をディスプレイ１２に表示するので、操作者は表示された確認画面２２を確認した後、消去したい履歴情報４だけを確実に消去することができる。仮に消去したくない履歴情報４の消去操作がされたとしても、操作者は、履歴情報４を消去するか否かを確認する前記確認画面２２を確認するので、履歴情報４の消去をキャンセルすることが可能となる。したがって消去する履歴情報４と消去してはいけない履歴情報４とを峻別することができ、操作者の操作ミスの軽減を図ることができる。
【００５４】
またＣＰＵ１１は確認画面２２において、少なくとも識別情報１４を再度表示するので、履歴情報４の相手を特定し易くなる。したがって消去する履歴情報４と消去してはいけない履歴情報４とを一層峻別することが可能となる。
【００５５】
またメモリ３には、識別情報１４と、識別情報１４に対応する補助識別情報１５とが記憶される。ＣＰＵ１１は、検索手段によって第２の記憶手段としてのメモリ３に一致する識別情報１４があるか否かを判定する。一致する識別情報１４があれば、ＣＰＵ１１は、一致する識別情報１４に対応する補助識別情報１５を読み出し確認画面２２に表示させる。このように確認画面２２に補助識別情報１５を表示する場合には、確認画面２２に識別情報１４を表示する場合と比べて、履歴情報４の相手を瞬時に特定することができる。操作者は、補助識別情報１５を確認することで、操作ミスの軽減を一層図ることが可能となる。またＣＰＵ１１は、識別情報１４に対応する補助識別情報１５を、携帯電話機２を介して外部から取得させることによって、補助識別情報１５の確認画面２２への表示を実現することができる。
【００５６】
また履歴情報４を消去するに先立って、選択された履歴情報４を消去するか否かを確認する確認画面２２をディスプレイ１２に表示するとともに、消去の確認があった場合に、消去したい履歴情報４だけを確実に消去することができる。したがって消去する履歴情報４と消去してはいけない履歴情報４とを峻別することができ、操作者の操作ミスの軽減を図ることができる。
【００５７】
本発明の実施の他の形態として、たとえば固定電話機、ファクシミリ装置およびその他の通信機器にも本発明の通信装置を適用可能である。操作部の各キーの機能をディスプレイのタッチパネルに代えた構成にすることも可能である。逆にディスプレイのタッチパネルの機能を、操作部のなかのキーに代えた構成にすることも可能である。その他、本実施形態に、特許請求の範囲を逸脱しない範囲において種々の部分的変更を行う場合もある。
【００５８】
【発明の効果】
請求項１記載の本発明によれば、操作手段によって履歴情報を選択し、表示手段に表示された履歴情報の消去操作がされたとき、制御部は、選択された履歴情報を消去するか否かを確認する確認画面を表示手段に表示するように制御する。
【００５９】
このように選択された履歴情報を消去するか否かを確認する確認画面を表示手段に表示するので、操作者は表示された確認画面を確認した後、消去したい履歴情報だけを確実に消去することができる。仮に消去したくない履歴情報の消去操作がされたとしても、操作者は、履歴情報を消去するか否かを確認する確認画面を確認するので、履歴情報の消去をキャンセルすることが可能となる。したがって消去する履歴情報と消去してはいけない履歴情報とを峻別することができ、操作者の操作ミスの軽減を図ることができる。
【００６０】
請求項２記載の本発明によれば、確認画面に識別情報を表示するので、履歴情報の相手を特定し易くなる。したがって消去する履歴情報と消去してはいけない履歴情報とを一層峻別することが可能となる。
【００６１】
請求項３記載の本発明によれば、第２の記憶手段には、識別情報と、識別情報に対応する補助識別情報とが記憶される。制御部は、検索手段によって第２の記憶手段に一致する識別情報があるか否かを判定する。一致する識別情報があれば、制御部は、一致する識別情報に対応する補助識別情報を読み出し確認画面に表示させる。このように確認画面に補助識別情報を表示する場合には、確認画面に識別情報を表示する場合と比べて、履歴情報の相手を瞬時に特定することができる。操作者は、補助識別情報を確認することで、操作ミスの軽減を一層図ることが可能となる。
【００６２】
請求項４記載の本発明によれば、識別情報に対応する補助識別情報を、通信手段を介して外部から取得することによって、補助識別情報の確認画面への表示を実現することができる。
【００６３】
請求項５記載の本発明によれば、操作手段によって履歴情報を選択し、表示手段に表示された履歴情報の消去操作がされたとき、制御部は、選択された履歴情報を消去するか否かを確認する確認画面を表示手段に表示するとともに、消去の確認があった場合に、電話機に記憶された履歴情報を消去する。
【００６４】
このように履歴情報を消去するに先立って、選択された履歴情報を消去するか否かを確認する確認画面を表示手段に表示するとともに、消去の確認があった場合に、消去したい履歴情報だけを確実に消去することができる。したがって消去する履歴情報と消去してはいけない履歴情報とを峻別することができ、また、運転中により誤った操作キーを押下しても確認画面が表示されるので、意図しない消去や更新は行われないので、操作者の操作ミスの軽減を図ることができる。
【００６５】
請求項６記載の本発明によれば、接続された携帯電話の電話番号や所有者名や機種名等の携帯電話を特定する情報が確認画面に表示されるので、誰の携帯電話を操作しているのかを把握することができる。したがって、所有者以外の者による意図しないメモリ操作が行われるのを防ぐことができる。
【００６６】
請求項７記載の本発明によれば、電話機の外部に設けられた、たとえば自宅のパソコン等に設けられた電話機の情報を消去または更新した際に、確認することができ操作ミスを軽減できる。
【図面の簡単な説明】
【図１】本発明の第１の実施の形態に係り、（ａ）はハンズフリーシステム１の構成を示す図、（ｂ）は携帯電話機２のメモリ３に記憶された履歴情報４を示す図である。
【図２】履歴情報４をメモリ３から消去するまでのＣＰＵ１１の動作を示すフローチャートである。
【図３】履歴情報４をメモリ３から消去するときの確認画面２２を段階的に表す図である。
【図４】本発明の第２の実施形態に係り、履歴消去するまでのＣＰＵの一連の動作を示すフローチャートである。
【図５】通信サーバに格納された電話番号１４および補助識別情報１５を示す図である。
【図６】履歴情報４をメモリ３から消去するとき、通信サーバに接続して電話番号１４に対応する補助識別情報１５を表示させるときの確認画面２２を表す図である。
【図７】本発明の第３の実施形態に係り、履歴情報４をメモリ３から消去する別のフローを表すフローチャートである。
【符号の説明】
１  ハンズフリーシステム
２  携帯電話機
３  メモリ
４  履歴情報
１１  ＣＰＵ
１２  ディスプレイ
１３  操作部
１４  電話番号
１５  補助識別情報
２２  確認画面
【図１】
2004266644.tif 000003
【図２】
2004266644.tif 000004
【図３】
2004266644.tif 000005
【図４】
2004266644.tif 000006
【図５】
2004266644.tif 000007
【図６】
2004266644.tif 000008
【図７】
2004266644.tif 000009